(57)【要約】【課題】表示を識別しやすい表示機能付き扉閉止具を提供する。【解決手段】扉Ｔが施錠状態であることを表す使用中表示部と扉Ｔが開錠状態であることを表す不使用中表示部とを有する表示体６を室外から視認可能な位置に設け、表示窓７ａを有する表示カバー７で表示体６を覆い、表示体６を施開錠操作に連動させて使用中表示部と不使用中表示部を表示窓７ａに選択的に移動させる扉閉止具において、表示体６を透光性のある材料で形成し、その表示体６を透過した光を表示窓７ａに向けて反射する反射体８を設けた。【選択図】図４
2006188883.tif 000002
【特許請求の範囲】
【請求項１】
室内と室外を仕切る扉が施錠状態であることを表す使用中表示部と、前記扉が開錠状態であることを表す不使用中表示部とを有する表示体を室外から視認可能な位置に設け、表示窓を有する表示カバーで前記表示体を覆い、前記表示体を施開錠操作に連動させて前記使用中表示部と不使用中表示部を前記表示窓に選択的に移動させる扉閉止具において、前記表示体を透光性のある材料で形成し、その表示体を透過した光を前記表示窓に向けて反射する反射体を設けたことを特徴とする扉閉止具。
【請求項２】
室内と室外を仕切る扉が施錠状態であることを表す使用中表示部と、前記扉が開錠状態であることを表す不使用中表示部とを有する表示体を室外から視認可能な位置に設け、表示窓を有する表示カバーで前記表示体を覆い、前記表示体を施開錠操作に連動させて前記使用中表示部と不使用中表示部を前記表示窓に選択的に移動させる扉閉止具において、前記表示体を透光性のある材料で形成し、その表示体を透過した光を蓄光して発光する発光体を設けたことを特徴とする扉閉止具。
【発明の詳細な説明】
【技術分野】
【０００１】
この発明は、施開錠の状態の表示機能を有する扉閉止具に関するものである。
【背景技術】
【０００２】
スーパーや病院等に設置された公衆トイレの扉を施開錠する扉閉止具として、扉の施開錠の状態を表示する表示機能付きのものが従来から知られている。この表示機能付き扉閉止具は、表示窓付きの表示カバーで覆われた室外から視認可能な表示体を有し、この表示体を施開錠操作に連動させて、表示体の使用中表示部または不使用中表示部を表示窓から表示させる。一般的に使用中表示部と不使用中表示部は異なる色でそれぞれ着色され、その色によって施開錠の状態が表される。また、使用中表示部と不使用中表示部に異なる色の文字をそれぞれ付して、いずれの文字が表示窓に表示されているかにより施開錠の状態を表すものも存在する。
【０００３】
しかし、この従来の扉閉止具は、表示体が不透明なので色を見分けにくく、色覚異常のある人や視力の低下した人にとって、使用中表示部と不使用中表示部のいずれが表示されているのかを識別しづらいことが多い。
【発明の開示】
【発明が解決しようとする課題】
【０００４】
この発明が解決しようとする課題は、表示を識別しやすい表示機能付き扉閉止具を提供することである。
【課題を解決するための手段】
【０００５】
上記の課題を解決するために、室内と室外を仕切る扉が施錠状態であることを表す使用中表示部と、前記扉が開錠状態であることを表す不使用中表示部とを有する表示体を室外から視認可能な位置に設け、表示窓を有する表示カバーで前記表示体を覆い、前記表示体を施開錠操作に連動させて前記使用中表示部と不使用中表示部を前記表示窓に選択的に移動させる扉閉止具において、前記表示体を透光性のある材料で形成し、その表示体を透過した光を前記表示窓に向けて反射する反射体を設けたことを特徴とする扉閉止具を提供する。
【０００６】
また、上記反射体に替えて、表示体を透過した光を蓄光して発光する発光体を設けてもよい。
【発明の効果】
【０００７】
反射体で反射した光が表示体を透過するので表示体の色を見分けやすく、使用中表示部と不使用中表示部のいずれが表示窓に表示されているのかを識別しやすい。反射体に替えて表示体を透過した光を蓄光して発光する発光体を設けても、同様の効果を得ることができる。
【発明を実施するための最良の形態】
【０００８】
図１に、第１実施形態の扉閉止具を取り付けた状態を示す。この扉閉止具は、室内と室外を仕切る仕切りパネルＰに取り付けられる掛け具１と、仕切りパネルＰの出入口を開閉する扉Ｔに取り付けられる受け具２とを有し、掛け具１と受け具２とで室内側から扉Ｔを施開錠する。
【０００９】
掛け具１は、図２に示すように、仕切りパネルＰに固定される固定座３と、固定座３により回転可能に支持される回転座４とを有しており、回転座４に取り付けられたレバー５を図１の２点鎖線で示す位置まで揺動させて扉Ｔの開放を阻止することができるようになっている。一方、受け具２は扉Ｔに固定されており、揺動するレバー５を受け止めて保持する。
【００１０】
仕切りパネルＰの室外側には、図３に示すように使用中表示部６ａと不使用中表示部６ｂとを有する表示体６が設けられており、この表示体６は表示カバー７で覆われている。表示カバー７には表示窓７ａが形成されており、この表示窓７ａから表示体６の使用中表示部６ａまたは不使用中表示部６ｂが表示される。表示体６は、無色透明の樹脂で形成されており、その使用中表示部６ａには赤色透明の塗装が施されている。不使用中表示部６ｂは塗装されておらず、無色透明である。
【００１１】
表示体６の裏側には、図４に示すように反射体８が設けられており、この反射体８は、表示体６を透過した光を表示窓７ａに向けて反射させる。そのため、表示窓７ａから入った光が表示体６を透過して反射体８で反射し、その反射光が再び表示体６を透過して表示窓７ａから出て行く。
【００１２】
この表示体６は、図２に示すように、仕切りパネルＰに形成された貫通孔９を通じて室内側の回転座４と連結されており、レバー５の揺動操作と連動するようになっている。したがって、レバー５を図１の２点鎖線の位置まで揺動させて施錠すると、その施錠操作により表示体６も回転して表示体６の使用中表示部６ａが表示窓７ａの位置に移動し、表示窓７ａから赤色の使用中表示部６ａが表示される。一方、レバー５を元の位置まで揺動させて開錠すると、その開錠操作により表示体６も回転して表示体６の不使用中表示部６ｂが表示窓７ａの位置まで移動し、表示窓７ａから無色の不使用中表示部６ｂが表示される。
【００１３】
この表示機能付き扉閉止具は、反射体８で反射した光が表示体６を透過するので、表示窓７ａから表示される表示体６の色を見分けやすく、色覚異常や視力の低下した人でも使用中表示部６ａと不使用中表示部６ｂのいずれが表示窓７ａに表示されているのかを識別しやすい。また、表示体６は、使用中表示部６ａのみが着色され、不使用中表示部６ｂは無色透明なので、不使用中表示部６ｂの方が使用中表示部６ａよりも明るく表示され、識別性がより高い。
【００１４】
図５に、第２実施形態の扉閉止具を扉に取り付けた状態を示す。この扉閉止具は、室内と室外を仕切る仕切りパネルＰの室内側に取り付けられるフランジ付き突部１０と、仕切りパネルＰの出入口を開閉する扉Ｔの室内側に取り付けられるラッチ支持具１１と、ラッチ支持具１１でスライド自在に支持するラッチ１２とを有し、このラッチ１２をスライドさせてフランジ付き突部１０に係合させ、この係合によって扉Ｔを室内側から施錠するものである。
【００１５】
ラッチ支持具１１は、回転自在の回転軸１３を有しており、その回転軸１３の一端にピニオン１４が形成されている。このピニオン１４は、ラッチ１２に形成したラック１５と噛み合わされており、ラッチ１２がスライドするとラック１５との噛み合いにより回転軸１３を回転させる。回転軸１３の他端は、図６に示すようにギア減速機構を介して扉Ｔの室外側に設けた回転可能な表示体１６と連結されており、このギア減速機構が回転軸１３の回転運動を減速して表示体１６に伝える。
【００１６】
表示体１６は、第１実施形態と同様に無色透明の樹脂で形成されており、図７に示すように赤色透明の塗装が施された使用中表示部１６ａと無色透明の不使用中表示部１６ｂとを有している。この表示体１６は、表示窓１７ａが形成された表示カバー１７で覆われており、この表示窓１７ａから表示体１６の使用中表示部１６ａまたは不使用中表示部１６ｂが表示される。また、表示体１６の裏側には、図６に示すように反射体１８が設けられており、表示窓１７ａから入った光が表示体１６を透過して反射体１８で反射し、その反射光が再び表示体１６を透過して表示窓１７ａから出て行く。
【００１７】
したがって、ラッチ１２を図５の２点鎖線の位置までスライドさせて施錠すると、ラック１５とピニオン１４との噛み合いにより回転軸１３が回転し、回転軸１３の回転運動がギア減速機構により減速されて表示体１６に伝えられ、表示体１６が回転して使用中表示部１６ａが表示窓１７ａの位置まで移動し、表示窓１７ａから赤色の使用中表示部１６ａが表示される。また、ラッチ１２を元の位置までスライドさせて開錠すると、表示体１６が逆回転して不使用中表示部１６ｂが表示窓１７ａの位置まで移動し、表示窓１７ｂから無色の不使用中表示部１６ｂが表示される。
【００１８】
この表示機能付き扉閉止具は、反射体１８で反射した光が表示体１６を透過するので、表示窓１７ａから表示される表示体１６の色を見分けやすく、表示体１６の使用中表示部１６ａと不使用中表示部１６ｂのいずれが表示窓１７ａに表示されているのかを識別しやすい。
【００１９】
第１実施形態の扉閉止具の反射体８は、たとえば表示体６の裏面に金属を蒸着して形成した金属膜で構成してもよく、表示体６を透過した光を表示窓７ａに向けて反射すればよい。
【００２０】
表示カバー７は、表示窓７ａの部分を図４に示すように傾斜させて斜め上に向けると好ましい。このようにすれば、扉閉止具に近い位置から表示窓７ａを見下ろしたときに表示窓７ａを正視することができるので、表示体６の視認性がより高くなり、また、表示窓７ａから光が入りやすくなるので表示体６の識別性もより高くなる。
【００２１】
反射体８は、クロムめっき等により鏡面加工を施した部品で構成すれば低コストであるが、再帰反射板で構成してもよく、光を有効に反射する材料で構成すればよい。
【００２２】
反射体８は、表示体６を透過した光を蓄光して発光する発光体に替えてもよい。このようにしても、発光体の発光した光が表示体６を透過するので、表示窓７ａから表示される表示体６の色を見分けやすく、表示体６の使用中表示部６ａと不使用中表示部６ｂのいずれが表示窓７ａに表示されているのかを識別しやすい。発光体としては、たとえば硫化亜鉛に銅を添加した蓄光顔料や、アルミン酸ストロンチウムにユウロピウムなどの希土類元素を添加した蓄光顔料を樹脂に練り込んで成形したものなどが挙げられる。
【００２３】
第２実施形態の扉閉止具は、回転軸１３の回転運動を減速して表示体１６に伝える減速機構に代えて、回転軸１３の回転運動を表示体１６のスライド運動に変換するラックピニオン機構を用い、表示体１６がラッチ１２のスライド操作に連動してスライドするようにしてもよい。要するに表示体１６がラッチ１２のスライド操作に連動すればよい。
【図面の簡単な説明】
【００２４】
【図１】第１実施形態の扉閉止具を室内側から見た図
【図２】同上の扉閉止具の平面視断面図
【図３】同上の扉閉止具を室外側から見た図
【図４】同上の扉閉止具の側面視断面図
【図５】第２実施形態の扉閉止具の平面視断面図
【図６】同上の扉閉止具の側面視断面図
【図７】同上の扉閉止具を室外側から見た図
【符号の説明】
【００２５】
６      表示体
６ａ    使用中表示部
６ｂ    不使用中表示部
７      表示カバー
７ａ    表示窓
８      反射体
１６    表示体
１６ａ  使用中表示部
１６ｂ  不使用中表示部
１７    表示カバー
１７ａ  表示窓
１８    反射体
Ｐ      仕切りパネル
Ｔ      扉
【図１】
2006188883.tif 000003
【図２】
2006188883.tif 000004
【図３】
2006188883.tif 000005
【図４】
2006188883.tif 000006
【図５】
2006188883.tif 000007
【図６】
2006188883.tif 000008
【図７】
2006188883.tif 000009